(57)【要約】【課題】接触式温度センサへのトナー蓄積による印刷汚れを確実に防止し、より高品質な印刷品質を提供することが可能な印刷装置を提供する。【解決手段】感光ドラム上に形成された静電潜像に現像機によってトナーを反転現像し、感光ドラム上のトナー像を用紙に転写し、前記用紙に転写された前記トナー像を接触式温度センサによって一定温度に制御された加熱ローラと、加圧ローラと前記加熱ローラによって加熱加圧され前記トナー像を用紙に定着させる印刷装置において、印刷停止時毎に前記加熱ローラを逆回転することによって、前記接触式温度センサの汚れを除去する。【選択図】  図１
2010211088.tif 000002
【特許請求の範囲】
【請求項１】
感光ドラム上に形成された静電潜像に現像機によってトナーを反転現像し、感光ドラム上のトナー像を用紙に転写し、前記用紙に転写された前記トナー像を接触式温度センサによって一定温度に制御された加熱ローラと、加圧ローラと前記加熱ローラによって加熱加圧され前記トナー像を用紙に定着させる印刷装置において、
印刷停止時毎に前記加熱ローラを逆回転することによって前記接触式温度センサの汚れを除去することを特徴とする印刷装置。
【請求項２】
前記加熱ローラの表面を清掃する巻き取り式のフェルトを備え、前記加熱ローラの逆回転により前記接触式温度センサから除去されたトナーを前記フェルトにて回収することを特徴とする請求項１に記載の印刷装置。
【請求項３】
前記加熱ローラの逆回転時には前記フェルトを一定量巻き取ることを特徴とする請求項２に記載の印刷装置。
【発明の詳細な説明】
【技術分野】
【０００１】
本発明は、用紙に転写されたトナー像を、接触式温度センサによって一定温度に制御された加熱ローラと、加圧ローラによって加熱加圧されトナー像を用紙に定着させる印刷装置に関するものである。
【背景技術】
【０００２】
図１および図２を用いて電子写真方式を用いた連続紙印刷装置の概略構成を説明する。
【０００３】
上位装置（図示せず）からドットデータに分解された印刷信号が送信されてくると、レーザ光１３が感光ドラム１の表面を走査する。感光ドラム１の表面は帯電器２により一様に帯電されており、レーザ光１３が照射された部分の電荷が逃げ、感光ドラム１の表面に静電潜像が形成される。静電潜像は現像機３によりトナーが現像され転写器４部に運ばれる。
【０００４】
記録材５（ここでは用紙を用いている）は、用紙搬送手段であるトラクタまたは搬送ローラ６などによって転写器４へ搬送され、感光ドラム１表面のトナー像を転写器４により用紙５上に転写される。
【０００５】
トナー像１２が転写された用紙５は、接触式温度センサ８によって、表面温度を検出し一定温度に制御されている加熱ローラ７と加圧ローラ１０の間を通って熱および圧力により定着され、スタッカ１１へ排出される。
【０００６】
用紙５上に転写されたトナー像１２を定着する際には、加熱ローラ７の表面にもトナー１４が付着するため、加熱ローラ用清掃部材９によって加熱ローラ７表面の清掃を行っている。但し、この加熱ローラ用清掃部材９がある一定量以上汚れた場合には、加熱ローラ用清掃部材９で清掃されたトナーが再び加熱ローラ７表面に付着して、印刷汚れが発生する場合がある。このため、加熱ローラ用清掃部材９は巻き取り可能なフェルト方式を採用することで、汚れがある一定量以上にならいように、印刷中でも一定周期で加熱ローラ７と逆回転方向にフェルト９ａの巻き取りを行っている。
【０００７】
加熱ローラ７の表面は加熱ローラ用清掃部材９で清掃を行っても、印刷画質には影響を与えない程度（目視では確認困難な程度）の微細なトナー汚れが残留するため、この微細なトナー汚れが、接触式温度センサ８に蓄積される。この接触式温度センサ８に蓄積されるトナー１５は通常の印刷状態の場合には用紙５の印刷品質に影響を与えることはないが、印刷時の条件、例えば、表面に特殊加工が施された用紙や高印字密度の印刷画像等によっては、加熱ローラ用清掃部材９の清掃状態に違いがあり、接触式温度センサ８により一層トナー１５が蓄積し易くなる場合がある。その蓄積量が限界点を越えた時にはトナーの一部が接触式温度センサ８から分離し、用紙５上にトナー１６が付着することで印刷汚れが発生し、印刷品質を低下させる問題がある。
【０００８】
上記問題を解決するために、電子写真装置のウォーミングアップ開始時や非動作状態が一定時間継続した後における印字開始時の一定時間内に、加熱ローラを印刷時の回転とは逆方向に回転させる制御を行うことで、加熱ローラ上に堆積しているトナーや紙粉を除去する方式が提案されている（例えば、特許文献１参照）。
【発明の概要】
【発明が解決しようとする課題】
【０００９】
しかしながら特許文献１によれば、加熱ローラの逆回転動作は、電源投入後や非動作状態が継続した後の印刷開始時であるが、この場合には印刷動作が継続された場合には接触式温度センサ８に蓄積されたトナーを完全に回収することはできない。
【００１０】
本発明は、従来構成において部品などを追加することなく、接触式温度センサへのトナー蓄積による印刷汚れを確実に防止し、より高品質な印刷品質を提供することが可能な印刷装置を提供することを目的とする。
【課題を解決するための手段】
【００１１】
上記課題を解決するために、本発明の第１の手段は、感光ドラム上に形成された静電潜像に現像機によってトナーを反転現像し、感光ドラム上のトナー像を用紙に転写し、前記用紙に転写された前記トナー像を接触式温度センサによって一定温度に制御された加熱ローラと、加圧ローラと前記加熱ローラによって加熱加圧され前記トナー像を用紙に定着させる印刷装置において、印刷停止時毎に前記加熱ローラを逆回転することによって、前記接触式温度センサの汚れを除去することを特徴とするものである。
【００１２】
本発明の第２の手段は前記第１の手段において、前記加熱ローラの表面を清掃する巻き取り式のフェルトを更に備え、前記加熱ローラの逆回転により前記接触式温度センサから除去されたトナーを前記フェルトにて回収することを特徴とするものである。
【００１３】
本発明の第３の手段は前記第２の手段において、前記加熱ローラの逆回転時には、前記フェルトを一定量巻き取ることを特徴とするものである。
【発明の効果】
【００１４】
請求項１に記載の発明によれば、印刷停止時毎に加熱ローラを逆転することで、接触式温度センサに蓄積されたトナーによる印刷汚れを常に最小限にすることが可能となり、接触式温度センサによる印刷汚れの発生を防止できる。
【００１５】
請求項２に記載の発明によれば、加熱ローラを逆転することで接触式温度センサに蓄積されたトナー汚れを巻き取り式の加熱ローラ用清掃部材で回収することできる。
【００１６】
請求項３に記載の発明によれば、加熱ローラ逆転動作終了毎に、加熱ロール用清掃部材を一定量巻き取ることで、回収したトナーによる汚れの発生を防止できる。
【図面の簡単な説明】
【００１７】
【図１】電子写真方式を用いた連続紙印刷装置の概略構成図である。
【図２】加熱ローラ表面にトナーが付着した状態の概略構成図である。
【図３】本発明における加熱ローラの駆動動作を示す図である。
【発明を実施するための形態】
【００１８】
以下、本発明の実施例を図２および図３を用いて説明する。
【００１９】
本発明は、用紙５に転写されたトナー像１２を、接触式温度センサ８によって表面温度を検出し一定温度で制御されている加熱ローラ７と加圧ローラ１０の間を通って熱および圧力により定着され、更に加熱ロール７の表面を巻き取り可能なフェルト方式の加熱ローラ用清掃部材９を有する印刷装置で実施されるものである。
【００２０】
本発明では加熱ローラ７を印刷停止時毎に逆回転することで、接触式温度センサ８に蓄積されたトナー１５が、加熱ローラ７の逆転動作により、接触式温度センサ８から引き剥がされるため、接触式温度センサ８に蓄積されたトナー１５の量を印刷停止時毎に少なくすることが可能となり、接触式温度センサ８に蓄積されたトナー１５の限界量を越えることで発生する印刷汚れを確実に防止することができる。
【００２１】
また、接触式温度センサ８から引き剥がされたトナー１５は、加熱ローラ７とは逆回転方向に回転する加熱ローラ用清掃部材９にて加熱ローラ７から清掃回収することができる。
【００２２】
更に、印刷停止毎の加熱ローラ７の逆回転動作時に、加熱ローラ用清掃部材９のフェルト９ａを一定量巻き取ることによって、回収した蓄積されたトナー１５が加熱ローラ用清掃部材９と加熱ローラ７との接触点から分離され、加熱ローラ７に付着することがなくなる。この加熱ローラ用清掃部材９のフェルト９ａの巻取り動作を行うことによって、加熱ローラ用清掃部材９で回収したトナーの再付着による印刷汚れの発生を防止することができる。
【００２３】
なお、上記の動作は、例えば、印刷装置のスタッカ１１の最大収容枚数毎に印刷動作が停止したときに、その印刷動作停止毎に加熱ローラ７の逆回転動作を行う。これによって、印刷動作が継続された場合においても、印刷停止毎に接触式温度センサ８に蓄積したトナー１５を確実に回収することが可能となる。
【符号の説明】
【００２４】
１は感光ドラム、２は帯電器、３は現像機、４は転写器、５は記録材（用紙）、６はトラクタ、７は加熱ローラ、８は接触式温度センサ、９は加熱ローラ用清掃部材、９ａはフェルト、１０は加圧ローラ、１１はスタッカ、１２はトナー像、１３はレーザ光、１４は加熱ローラ表面に付着したトナー、１５は接触式温度センサに蓄積されたトナー、１６はトナー像に付着したトナーである。
【先行技術文献】
【特許文献】
【００２５】
【特許文献１】特開２００４−２９６０４号公報
【図１】
2010211088.tif 000003
【図２】
2010211088.tif 000004
【図３】
2010211088.tif 000005